(57)【要約】【課題】レンチの早廻しに支障をきたすことなく、レンチの早廻しを好適に行え、さらにレンチの操作トルクを好適に増大することができ、しかもパイプ部材を取り外し、そのパイプ部材を別のＬ形レンチに取り付けて使用することもできるＬ形レンチを提供する。【解決手段】レンチ本体１の長辺部１ａに、この長辺部１ａより短尺としたパイプ部材２を回転および挿脱自在として装着し、前記パイプ部材２の少なくとも一端部の内周に形成した嵌合溝４に嵌め込んだコイルバネ５によって、前記パイプ部材２の一部を押圧させると共に、前記コイルバネ５を前記長辺部１ａに形成した係合溝３に係脱自在としたものとしている。【選択図】図２
2015054377.tif 000002
【特許請求の範囲】
【請求項１】
レンチ本体（１）の長辺部（１ａ）に、この長辺部（１ａ）より短尺としたパイプ部材（２）を回転および挿脱自在として装着し、前記パイプ部材（２）の少なくとも一端部の内周に形成した嵌合溝（４）に嵌め込んだコイルバネ（５）によって、前記パイプ部材（２）の一部を押圧させると共に、前記コイルバネ（５）を前記長辺部（１ａ）に形成した係合溝（３）に係脱自在としたことを特徴とするＬ形角レンチ。
【請求項２】
前記パイプ部材（２）は、レンチ本体（１）の長辺部（１ａ）の７０〜８０％の長さにしたことを特徴とする請求項１記載のＬ形角レンチ。
【請求項３】
前記係合溝（３）は、レンチ本体（１）の長辺部（１ａ）の頭部（Ｈａ）側から、この長辺部（１ａ）の１／２〜１／４長さの位置に設けたことを特徴とする請求項１または２記載のＬ形角レンチ。
【請求項４】
前記コイルバネ（５）は、巻数を一巻半から二巻にしたことを特徴とする請求項１から３の何れかに記載のＬ形角レンチ。
【発明の詳細な説明】
【技術分野】
【０００１】
この発明は、角形管体や穴付きボルト等を締めたり緩めたりするのに使用されるＬ形レンチに関するものである。
【背景技術】
【０００２】
従来、この種のＬ形レンチとしては、例えば図８ａに示したように、レンチ本体１１の長辺部１１ａに回転可能にパイプ体１２を挿着したものが存在する（特許文献１）。
【０００３】
このようにした従来のＬ形レンチは、前記パイプ体１２により、レンチ本体１１の回転が円滑に行われ、早廻しが可能となるとしている。
【０００４】
さらに、この種のＬ形レンチとしては、例えば図９、１０に示したように、多角形レンチ２１の基部２１ｂの断面外形状と適合する形状の嵌挿穴２２を形成した操作補助パイプ２３を、多角形レンチ２１の基部２１ｂに嵌挿させて、多角形レンチ２１の回転操作を補助する把持部を構成したものが存在する（特許文献２）。
【０００５】
このようにした従来のＬ形レンチは、多角形レンチ２１の基部２１ｂと嵌挿穴２２との間が面接触しながら操作トルクを伝達できるようになり、操作補助パイプ２３の操作トルクが確実に多角形レンチ２１に伝えられて作業性が向上するとともに、操作補助パイプ２３の変形が抑制され、操作補助パイプ２３の端縁部に返り部が発生する等の不具合も回避できるようになるとしている
また、この種のＬ形レンチとしては、例えば図１１に示したように、長パイプ部材３１と短パイプ部３２とをＬ字状に連設したパイプ部材３３の両端開口部の径を、長杆３４と短杆３５とをＬ字状に連設したレンチ工具３６の長杆３４又は短杆３５の先端に被嵌し得る径に形成したレンチ工具回動用補助パイプを備えたものが存在する（特許文献３）。
【０００６】
このようにした従来のＬ形レンチは、例えば、レンチ本体３６の短杆３５の先端にパイプ部材３３の短パイプ部３２の開口部を被嵌し、このパイプ部材３３の長パイプ部３１を握持してレンチ本体３６を回動することができるので、レンチの作業性を著しく向上することができるとしている。
【先行技術文献】
【特許文献】
【０００７】
【特許文献１】実用新案登録第３１３４６０４号公報
【特許文献２】実開平５ー６３７７１号公報
【特許文献３】実開平４ー６０６７１号公報
【発明の概要】
【発明が解決しようとする課題】
【０００８】
しかしながら、上記従来の図８ａに示したＬ形レンチでは、レンチ本体１１の長辺部１１ａにパイプ体１２が位置決めされていないので、パイプ体１２を握ってレンチ本体１１を早廻しすると、早廻しの途中でパイプ体１２が移動してしまい、早廻しに支障をきたすという課題を有していた。
【０００９】
そのため、上記従来のＬ形レンチでは、レンチ本体１１の長辺部１１ａに回転可能に挿着したパイプ体１２が、この長辺部１１ａに沿って移動しないように、図８ｂに示したように、そのパイプ体１２の上下に止め輪１３を配置することができるとしている。しかし、このようにすると、前記パイプ体１２は、長辺部１１ａに沿って移動しないものとなるので、このパイプ体１２を別のＬ形レンチに取り換えて使用することはできないという課題を有することになる。また、前記パイプ体１２は、長辺部１１ａに沿って移動しないものとなると、このパイプ体１２によって長辺部１１ａをさらに延長することもできず、操作トルクを増大することもできないという課題を有することになる。
【００１０】
さらに、上記従来の図９、１０に示したＬ形レンチでは、基部２１ｂを操作補助パイプ２３によって延長することができ、テコの原理によって操作トルクを増大することはできるが、操作補助パイプ２３は回転することができないので、レンチを早廻しすることはできないという課題を有していた。
【００１１】
また、上記従来の図１１に示したＬ形レンチでは、長パイプ部材３１と短パイプ部３２とをＬ字状に連設したパイプ部材３３によって、操作トルクを増大するなど、レンチの作業性を著しく向上することができるといっても、早廻しに使用するには不適であるという課題を有していた。
【００１２】
そこで、この発明は、上記従来のＬ形レンチの課題を解決することを目的としており、レンチの早廻しに支障をきたすことなく、レンチの早廻しを好適に行え、さらにレンチの操作トルクを好適に増大することができ、しかもパイプ部材を取り外し、そのパイプ部材を別のＬ形レンチに取り付けて使用することもできるＬ形レンチを提供することを目的としてなされたものである。
【課題を解決するための手段】
【００１３】
そのため、この発明のＬ形レンチは、レンチ本体１の長辺部１ａに、この長辺部１ａより短尺としたパイプ部材２を回転および挿脱自在として装着し、前記パイプ部材２の少なくとも一端部の内周に形成した嵌合溝４に嵌め込んだコイルバネ５によって、前記パイプ部材２の一部を押圧させると共に、前記コイルバネ５を前記長辺部１ａに形成した係合溝３に係脱自在としたものとしている。
【００１４】
そして、この発明のＬ形レンチにおいて、前記パイプ部材２は、レンチ本体１の長辺部１ａの７０〜８０％の長さにしたものとしている。
【００１５】
さらに、この発明のＬ形レンチにおいて、前記係合溝３は、レンチ本体１の長辺部１ａの頭部Ｈａ側から、この長辺部１ａの１／２〜１／４長さの位置に設けたものとしている。
【００１６】
また、この発明のＬ形レンチにおいて、前記コイルバネ５は、巻数を一巻半から二巻にしたものとしている。
【発明の効果】
【００１７】
この発明のＬ形レンチは、以上に述べたように構成されており、レンチ本体１の長辺部１ａの一部がこのコイルバネ５によって押圧されることにより、レンチ本体１の長辺部１ａにパイプ部材２が位置決めされた状態となるので、パイプ部材２を握ってレンチ本体１を早廻ししても、早廻しの途中でパイプ体１２が移動することなく、早廻しに支障をきたすことなく、レンチの早廻しを好適に行えるものとなる。
【００１８】
さらに、この発明のＬ形レンチは、レンチの操作トルクを増大したいときには、レンチ本体１の長辺部１ａがパイプ部材２によって延長されることにより、レンチの操作トルクを好適に増大することができるものとなる。
【００１９】
また、この発明のＬ形レンチは、レンチ本体１の長辺部１ａからパイプ部材２を取り外し、このパイプ部材２を別のレンチ本体の長辺部に取り付けることにより、この別のレンチ本体の早廻しや、レンチの操作トルクを好適に増大することができ、非常に便利なものとなる。
【図面の簡単な説明】
【００２０】
【図１】この発明のＬ形レンチの全体斜視図である。
【図２】この発明のＬ形レンチの分解斜視図である。
【図３】この発明のＬ形レンチの側面図である。
【図４】図１中のＡ−Ａによるこの発明のＬ形レンチの断面図である。
【図５】図４中の円ａ及び円ｂで囲んだ部分の拡大図である。
【図６】この発明のＬ形レンチを早廻しレンチとして使用する場合の説明図である。
【図７】この発明のＬ形レンチの操作トルクを増大して使用する場合の説明図である。
【図８ａ】従来のＬ形レンチの一例を示す側面図である。
【図８ｂ】図８ａに示す従来のＬ形レンチの変形例の側面図である。
【図９】従来のＬ形レンチの他の例を示す斜視図である。
【図１０】図９に示す従来のＬ形レンチの分解斜視図である。
【図１１】従来のＬ形レンチのさらに他の例を示す斜視図である。
【発明を実施するための形態】
【００２１】
以下、この発明のＬ形レンチを実施するための形態を、図面に基づいて詳細に説明する。
【００２２】
この発明のＬ形レンチは、図１〜５に示したように、レンチ本体１とパイプ部材２とからなるものとしている。レンチ本体１は、長辺部１ａと短辺部１ｂとをＬ字状に連設し、長辺部１ａに係合溝３を形成したものとしている。パイプ部材２は、レンチ本体１の長辺部１ａより短尺とし、少なくとも一端部（図示したものは両端部）の内周に形成した嵌合溝４にコイルバネ５を嵌め込んだものとしている。
【００２３】
そして、この発明のＬ形レンチは、前記レンチ本体１の長辺部１ａに、前記パイプ部材２を回転および挿脱自在として装着し、前記パイプ部材２の少なくとも一端部の内周に形成した嵌合溝４に嵌め込んだコイルバネ５によって、前記パイプ部材２の一部を押圧させると共に、前記コイルバネ５を前記長辺部１ａに形成した係合溝３に係脱自在としたものとしている。
【００２４】
前記レンチ本体１は、図示したものでは、断面六角形状の棒体をＬ字状に屈曲し、長辺部１ａの先端を断面六角形状のボールポイントとした頭部Ｈａとし、短辺部１ｂの先端を断面六角形状の頭部Ｈｂとしたものとしているが、六角形状以外の多角形状とした断面の棒体をＬ字状に屈曲して、長辺部１ａおよび短辺部１ｂの先端をその多角形状に応じた多角形状の頭部Ｈａ、Ｈｂとしたものとしてもよい。なお、前記レンチ本体１は、丸棒体をＬ字状に屈曲し、長辺部１ａおよび短辺部１ｂの先端を前記したような何れかの形状の頭部Ｈａ、Ｈｂとしたものとしてもよい。
【００２５】
前記パイプ部材２は、図示したものでは、丸パイプとしており、金属製としているが、硬質プラスチック製としてもよく、レンチ本体１の長辺部１ａの７０〜８０％の長さにしたものとしている。このようにすることにより、パイプ部材２が握り易いものとなり、レンチ本体１を早廻しし易いものとなると共に、このパイプ部材２によってレンチ本体１の長辺部１ａが延長されることにより、レンチの操作トルクを増大することができる。
【００２６】
前記係合溝３は、図示したものでは、レンチ本体１の長辺部１ａの六角形のすべての角部を切り欠いて設けたものとしているが、レンチ本体１の長辺部１ａの六角形の角部を一つ置きに切り欠いて設けたものとしてもよく、前記長辺部１ａの頭部Ｈａ側から、この長辺部１ａの１／２〜１／４長さの位置に設けたものとしている。このようにすることにより、前記パイプ部材２の嵌合溝４に嵌め込んだコイルバネ５がこの係合溝３に係合した状態で、前記パイプ部材２によってレンチ本体１の長辺部１ａが延長され、レンチの操作トルクを好適に増大することができるものとなる。
【００２７】
前記嵌合溝４は、図示したものでは、パイプ部材２の両端部の内周にそれぞれ形成したものとしており、前記コイルバネ５の内周がパイプ部材２の内周から飛び出すようにして、このコイルバネ５の内周によって、前記レンチ本体１の長辺部１ａの表面の一部を押圧するようにしている。このようにすることにより、レンチ本体１の長辺部１ａの一部がこのコイルバネ５によって押圧されることにより、レンチ本体１の長辺部１ａにパイプ部材２が位置決めされた状態となる。
【００２８】
前記コイルバネ５は、図示したものでは、金属製としているが、硬質プラスチック製としてもよく、巻数を一巻半から二巻にしたものとしている。そして、前記コイルバネ５は、嵌合溝４の底面４ａの一部にコイルバネ５の外周面が圧接するようにして、この嵌合溝４に嵌め込まれたものとしている。さらに、前記コイルバネ５は、嵌合溝４の前後壁面４ｂ、４ｃの一部にコイルバネ５の前後端が接触し、この嵌合溝４内で移動しないようにして、その嵌合溝４に嵌め込まれたものとするのが好ましい。このようにすることにより、前記コイルバネ５がレンチ本体１の長辺部１ａを適度な力で押圧することとなり、パイプ部材２をレンチ本体１の長辺部１ａに位置決めした状態としたり、この長辺部１ａを回転させたり、この長辺部１ａをパイプ部材２内に差し込んだり、パイプ部材２から外したりし易いものとなる。
【００２９】
以上のように構成されたこの発明のＬ形レンチは、以下のようにして使用することにより、レンチの早廻しを好適に行え、さらにレンチの操作トルクを好適に増大することができるものとなる。
【００３０】
先ず、この発明のＬ形レンチで早廻しを行う場合には、図６に示したように、レンチ本体１の短辺部１ｂを利き手で掴み、もう一方の手でパイプ部材２を握り、レンチ本体１の長辺部１ａの頭部Ｈａを角形管体や穴付きボルト等の角穴（図示せず）に嵌め込んで、その長辺部１ａを回転させれば、早廻しの途中でパイプ部材２が移動することなく、早廻しに支障をきたすことなく、レンチの早廻しを好適に行えるものとなる。
【００３１】
次に、この発明のＬ形レンチで操作トルクを増大する場合には、前記パイプ部材２によってレンチ本体１の長辺部１ａを延長し、図７に示したように、そのパイプ部材２を利き手で握り、レンチ本体１の短辺部１ｂの頭部Ｈｂを角形管体や穴付きボルト等の角穴（図示せず）に嵌め込んで、その短辺部１ｂを回転させれば、前記パイプ部材２によってレンチ本体１の長辺部１ａが延長されることにより、レンチの操作トルクを好適に増大することができるものとなる。
【００３２】
さらに、この発明のＬ形レンチは、前記パイプ部材２をレンチ本体１の長辺部１ａから取り外し、別のＬ形レンチの長辺部に取り付ければ、その別のＬ形レンチの早廻しを好適に行え、さらにレンチの操作トルクを好適に増大することができるものとなる。なお、前記パイプ部材２を別のＬ形レンチの長辺部に取り付ける場合、パイプ部材２の両端部の内周に形成した嵌合溝４にコイルバネ５を嵌め込んだものでは、このパイプ部材２を何れの端部から別のＬ形レンチの長辺部に差し込んで取り付けてもよいが、パイプ部材２の一端部のみの内周に形成した嵌合溝４にコイルバネ５を嵌め込んだものでは、このパイプ部材２をその一端部から別のＬ形レンチの長辺部に差し込んで取り付けるようにする必要がある。
【符号の説明】
【００３３】
１  レンチ本体
１ａ  長辺部
２  パイプ部材
３  係合溝
４  嵌合溝
５  コイルバネ
【図１】
2015054377.tif 000003
【図２】
2015054377.tif 000004
【図３】
2015054377.tif 000005
【図４】
2015054377.tif 000006
【図５】
2015054377.tif 000007
【図６】
2015054377.tif 000008
【図７】
2015054377.tif 000009
【図８ａ】
2015054377.tif 000010
【図８ｂ】
2015054377.tif 000011
【図９】
2015054377.tif 000012
【図１０】
2015054377.tif 000013
【図１１】
2015054377.tif 000014